(57)【要約】【課題】着座者の荷重を支持するとともに、該着座者の背に追従して変形することが可能な椅子を提供する。【解決手段】椅子１は、脚体１０と、該脚体１０に支持される背凭れ支持体２０と、該背凭れ支持体２０に支持される背凭れ後部支持部材４０と、該背凭れ後部支持部材４０に支持され、着座者の背を支持する背凭れ５０とを備え、該背凭れ５０は、前記着座者の背を受けるとともに、該背に応じて変形可能な可撓性を有する張り材５１と、該張り材５１が取り付けられ、前記背凭れ後部支持部材４０に連結された上枠部５２と、該上枠部５２の幅方向両端部に連結されるとともに前記張り材５１が取り付けられ、該張り材５１から作用する力に応じて弾性変形可能な一対の縦枠部５３とを有することを特徴とする。【選択図】図４
2014079510.tif 000002
【特許請求の範囲】
【請求項１】
脚体と、
該脚体に支持される背凭れ支持体と、
該背凭れ支持体に支持される背凭れ後部支持部材と、
該背凭れ後部支持部材に支持され、着座者の背を支持する背凭れとを備え、
該背凭れは、
前記着座者の背を受けるとともに、該背に応じて変形可能な可撓性を有する張り材と、
該張り材が取り付けられ、前記背凭れ後部支持部材に連結された上枠部と、
該上枠部の幅方向両端部に連結されるとともに前記張り材が取り付けられ、該張り材から作用する力に応じて弾性変形可能な一対の縦枠部とを有することを特徴とする椅子。
【請求項２】
請求項１に記載の椅子において、
前記縦枠部は、下材と、該下材の上端に連結されて前記張り材から作用する力で弾性変形可能な上材とを有することを特徴とする椅子。
【請求項３】
請求項２に記載の椅子において、
前記下材は、上方に向かうにしたがってしだいに前方に傾斜するように形成されていることを特徴とする椅子。
【請求項４】
請求項１から請求項３のいずれか一項に記載の椅子において、
前記縦枠部は、前方に向かって凸となるように湾曲形成されていることを特徴とする椅子。
【請求項５】
請求項１から請求項４のいずれか一項に記載の椅子において、
前記背凭れ後部支持部材は、後方に向かって凸となるように湾曲形成されていることを特徴とする椅子。
【請求項６】
請求項１から請求項５のいずれか一項に記載の椅子において、
前記背凭れ後部支持部材は、上方に向かうにしたがってしだいに幅方向外側に広がるように配され、前記上枠部の前記幅方向両端部をそれぞれ支持する上部連結部を有することを特徴とする椅子。
【請求項７】
請求項１から請求項６のいずれか一項に記載の椅子において、
前記背凭れ後部支持部材と前記縦枠部とは、側面視して環状に一体成形されていることを特徴とする椅子。
【請求項８】
請求項６に記載の椅子において、
前記背凭れ後部支持部材は、
前記背凭れ支持体に連結される下部連結部と、
該下部連結部から上方へ向かって延び、前記着座者の背から前記背凭れに作用する荷重にしたがって弾性変形可能な変形許容部とを有し、
前記上部連結部は、該変形許容部の上端から上方に向かうにしたがって互いに離間するようにＶ字状に形成され、上端が前記縦枠部に連結された一対の連結片として構成され、
前記下部連結部、前記変形許容部、前記一対の連結片のうち一方の前記連結片及び前記一対の縦枠部のうち一方の前記縦枠部は、側面視して環状の第一の環状部を構成し、
前記下部連結部、前記変形許容部、前記一対の連結片のうち他方の前記連結片及び前記一対の縦枠部のうち他方の前記縦枠部は、側面視して環状の第二の環状部を構成し、
前記第一の環状部及び前記第二の環状部は前記下部連結部及び前記変形許容部で連結されるとともに、一体として成形されていることを特徴とする椅子。
【発明の詳細な説明】
【技術分野】
【０００１】
本発明は、椅子に関するものである。
【背景技術】
【０００２】
椅子は、脚体と、該脚体の上部に設けられた座部と、該座部に着座する着座者を支持する背部とを有することを基本構成として、一般に様々な構成のものが知られている。
【０００３】
たとえば、椅子を構成する背部として、脚体から後方且つ上方に向かって延出する背凭れ支持杆に支持され、上枠と下枠とを有し正面視略五角形状に形成された背枠と、該背枠内に配設され弾性変形可能なネット部材とを備えるものが提案されている（下記特許文献１参照）。
【０００４】
このような椅子においては、ネット部材は通気性が良好であるため、座部に着座する着座者の背の部分に熱がこもることがなく、快適な環境とすることができる。また、ネット部材が弾性変形可能であり該ネット部材が着座者の背の形状に対応して変形するため、着座者の背を支持することができる。
【先行技術文献】
【特許文献】
【０００５】
【特許文献１】特許第４１４９７５５号公報
【発明の概要】
【発明が解決しようとする課題】
【０００６】
しかしながら、上記の特許文献１に記載の構成においては、背枠が着座者の背を受けるため強固に構成されているため、背枠の面外方向への変形量が制限される。よって、背枠に支持されたネット部材の面外方向への変形は、背枠から離間した中央部分ではネット部材自体の柔軟性に応じて許容される一方、背枠に固定された縁部近傍では制限される。このため、着座者の背の形状に追従して変形することが困難であるという問題点がある。
【０００７】
本発明は、上記事情に鑑みてなされたものであり、着座者の荷重を支持するとともに、該着座者の背に追従して変形することが可能な椅子を提供するものである。
【課題を解決するための手段】
【０００８】
上記目的を達成するために、本発明は以下の手段を採用している。
すなわち、本発明に係る椅子は、脚体と、該脚体に支持される背凭れ支持体と、該背凭れ支持体に支持される背凭れ後部支持部材と、該背凭れ後部支持部材に支持され、着座者の背を支持する背凭れとを備え、該背凭れは、前記着座者の背を受けるとともに、該背に応じて変形可能な可撓性を有する張り材と、該張り材が取り付けられ、前記背凭れ後部支持部材に連結された上枠部と、該上枠部の幅方向両端部に連結されるとともに前記張り材が取り付けられ、該張り材から作用する力に応じて弾性変形可能な一対の縦枠部とを有することを特徴とする。
【０００９】
このように構成された椅子では、着座者が着座し、着座者の背が背凭れの張り材で受け止められると、着座者の荷重が張り材から上枠部と一対の縦枠部に伝えられる。上枠部は、背凭れ支持体に支持された背凭れ後部支持部材に連結支持されているため、上枠部、背凭れ後部支持部材及び背凭れ支持体により着座者からの荷重を確実に支持することができる。
一方、上枠部の幅方向両端部に連結された一対の縦枠部は、張り材から作用する力により弾性変形するため、着座者の荷重にしたがって着座者の背に追従するように変形して背を張り材とともに包み込むように受け止めることができる。このため、着座者は、安定した状態で着座することができる。
【００１０】
また、本発明に係る椅子は、前記縦枠部は、下材と、該下材の上端に連結されて前記張り材から作用する力で弾性変形可能な上材とを有することが好ましい。
【００１１】
このように構成された椅子では、上材は、張り材から作用する力により弾性変形するため、着座者の荷重にしたがって着座者の背に追従にするように変形して背を張り材とともに包み込むように受け止めることができる。
一方、下材は、張り材とともに着座者の背より下方の腰回り等を確実に支持することができる。
【００１２】
また、本発明に係る椅子は、前記下材は、上方に向かうにしたがってしだいに前方に傾斜するように形成されていてもよい。
【００１３】
このように構成された椅子では、下材は、着座者から後方に向かって作用する荷重を、下材自体の軸力で確実に支持することができる。
【００１４】
また、本発明に係る椅子は、前記縦枠部は、前方に向かって凸となるように湾曲形成されていてもよい。
【００１５】
このように構成された椅子では、縦枠部が前方に向かって凸となるように湾曲しているため、前後方向へは縦枠部自体の変形を抑制して着座者の荷重を確実に受け止めることができる。また、幅方向には、縦枠部自体が内側に向かって着座者の背に追従するように撓み変形して背を包み込むように受け止めることができる。
【００１６】
また、本発明に係る椅子は、前記背凭れ後部支持部材は、後方に向かって凸となるように湾曲形成されていてもよい。
【００１７】
このように構成された椅子では、背凭れ後部支持部材が後方に向かって凸となるように湾曲形成されているため、着座者から後方に向かって作用する荷重を、背凭れ後部支持部材上部ではそれ自体の軸力で前後方向への変形を抑制して確実に支持することができる。
【００１８】
また、本発明に係る椅子は、前記背凭れ後部支持部材は、上方に向かうにしたがってしだいに幅方向外側に広がるように配され、前記上枠部の前記幅方向両端部をそれぞれ支持する上部連結部を有していてもよい。
【００１９】
このように構成された椅子では、上枠部は両端部が上方に向かうにしたがってしだいに幅方向外側に広がるように配された上部連結部に支持されることで、前後方向への変形が抑制されて着座者の肩付近などの上部を確実且つ安定的に支持できる。
【００２０】
また、本発明に係る椅子は、前記背凭れ後部支持部材と前記縦枠部とは、側面視して環状に一体成形されていてもよい。
【００２１】
このように構成された椅子では、上記に記載の効果が得られるとともに、背凭れ後部支持部材と縦枠部とが一体成形されることで強固な構造とし、且つ環状に成形された優れたデザイン性を奏することができる。
【００２２】
また、本発明に係る椅子は、前記背凭れ後部支持部材は、前記背凭れ支持体に連結される下部連結部と、該下部連結部から上方へ向かって延び、前記着座者の背から前記背凭れに作用する荷重にしたがって弾性変形可能な変形許容部とを有し、前記上部連結部は、該変形許容部の上端から上方に向かうにしたがって互いに離間するようにＶ字状に形成され、上端が前記縦枠部に連結された一対の連結片として構成され、前記下部連結部、前記変形許容部、前記一対の連結片のうち一方の前記連結片及び前記一対の縦枠部のうち一方の前記縦枠部は、側面視して環状の第一の環状部を構成し、前記下部連結部、前記変形許容部、前記一対の連結片のうち他方の前記連結片及び前記一対の縦枠部のうち他方の前記縦枠部は、側面視して環状の第二の環状部を構成し、前記第一の環状部及び前記第二の環状部は前記下部連結部及び前記変形許容部で連結されるとともに、一体として成形されていてもよい。
【００２３】
このように構成された椅子では、下部連結部、変形許容部、一対の連結片及び一対の縦枠部は一体成形されていることで強固な構造とし、且つ非常に優れたデザイン性を奏することができる。
また、着座者から背凭れに後方へ向かって荷重が作用すると、着座者の荷重が背凭れを支持する背凭れ後部支持部材に伝達される。この際、背凭れ後部支持部材のうち、背凭れ支持体に連結された下部連結部と背凭れに連結された上部連結部との間に設けられた変形許容部が、弾性変形する。この変形許容部の変形とともに、背凭れ後部支持部材に支持された背凭れはその姿勢を大きく後方に傾斜させることができる。
【発明の効果】
【００２４】
本発明に係る椅子によれば、着座者の荷重を支持するとともに、該着座者の背に追従して変形すること可能である。
【図面の簡単な説明】
【００２５】
【図１】本発明の第一実施形態に係る椅子を斜め前方から見た斜視図である。
【図２】本発明の第一実施形態に係る椅子の上部を後方から見た斜視図である。
【図３】本発明の第一実施形態に係る椅子の（ａ）通常時の側面図であり、（ｂ）着座者が背凭れに後傾した状態の側面図である。
【図４】本発明の第一実施形態に係る椅子を正面から見た斜視図である。
【図５】本発明の第一実施形態に係る椅子の側面図である。
【図６】本発明の第一実施形態に係る椅子の（ａ）通常時の図４のＰ−Ｐ断面図であり、（ｂ）着座者が背凭れに凭れかかった状態の図４のＰ−Ｐ断面図である。
【図７】本発明の第二実施形態に係る椅子を正面から見た分解斜視図である。
【図８】本発明の第二実施形態に係る椅子の側面図である。
【図９】本発明の第三実施形態に係る椅子を斜め前方から見た斜視図である。
【図１０】本発明の第三実施形態に係る椅子の概略構成を説明する斜視図であり、（ａ）はランバーサポートを背凭れに連結する前の状態を、（ｂ）はランバーサポートを背凭れに連結した状態を示す図である。
【図１１】本発明の第三実施形態に係る椅子の側面図であり、（ａ）は通常時を示す側面図であり、（ｂ）は着座者が背凭れに後傾した状態を示す図である。
【図１２】本発明の第三実施形態に係る椅子に関して、着座者が着座していない状態において、ランバーサポートの上方部分の断面を示す図である。
【図１３】本発明の第三実施形態に係るランバーサポートを示す図であり、（ａ）は平面図を、（ｂ）は正面から見た図である。
【図１４】本発明の第三実施形態に係るランバーサポートの概略構成を示す図であり、（ａ）は斜め前方から見た斜視図であり、（ｂ）は斜め後方から見た斜視図である。
【図１５】本発明の第三実施形態に係るランバーサポートの概略構成を説明する図であり、ランバーサポートの構成部材を斜め前方から見た斜視図である。
【図１６】本発明の第三実施形態に係るランバーサポートの概略構成を説明する図であり、ランバーサポートの構成部材を斜め後方から見た斜視図である。
【図１７】本発明の第三実施形態に係る椅子の図１３（ｂ）におけるＱ−Ｑ断面を示す図であり、（ａ）はランバーサポート本体の縁部と側枠部材との間に間隙が形成された形態を、（ｂ）はランバーサポート本体の縁部と側枠部材が当接する変形例に係る形態を示す図である。
【図１８】本発明の第三実施形態に係るランバーサポート及び背凭れの要部詳細を説明する図であり、高さ調整機構を含む断面を側面から見た部分断面図である。
【図１９】本発明の第三実施形態に係るランバーサポート及び背凭れの要部詳細を説明する図であり、中央断面を側面から見た部分断面図である。
【図２０】本発明の第三実施形態に係るランバーサポート及び背凭れの要部詳細を説明する図であり、高さ調整機構を含む断面を側面から見た部分断面図である。
【図２１】本発明の第三実施形態に係るランバーサポート及び背凭れの要部詳細を説明する図であり、中央断面を側面から見た部分断面図である。
【図２２】本発明の第三実施形態に係るランバーサポート及び背凭れの要部詳細を説明する図であり、図２０におけるＲ−Ｒ断面における横断面図である。
【図２３】本発明の第三実施形態に係る椅子に関して、着座者が着座した状態のランバーサポートの上方における断面を示す図であり、（ａ）は着座者が正面を向いて着座した状態を示す図であり、（ｂ）は着座者が背中の上部を右側にねじって背凭れに凭れかかった状態を示す図である。
【図２４】本発明の第三実施形態に係る椅子の（ａ）通常時を上方から見た斜視図であり、（ｂ）幅方向一方側から後方へと振り向くような姿勢をとった場合を上方から見た斜視図である。
【発明を実施するための形態】
【００２６】
（第一実施形態）
以下、本発明の第一実施形態に係る椅子について、図面を参照して説明する。
図１に示すように、本実施形態に係る椅子１は、床面Ｆ上に設けられた脚体１０と、該脚体１０に支持された背凭れ支持体２０と、該背凭れ支持体２０に設けられ着座者が着座可能な座部３０と、背凭れ支持体２０に支持された背凭れ後部支持部材４０と、該背凭れ後部支持部材４０に支持され着座者の背を支持する背凭れ５０とを備えている。以下、各構成の詳細を説明する。なお、以下の説明においては、着座者が着座、離座する方向を前後方向、着座者が着座する側を前方、反対側を後方とし、また、前後方向に直交する水平面内の方向を幅方向とし、幅方向に椅子から離間側を側方とする。
【００２７】
（脚体）
脚体１０は、床面Ｆ上を旋回可能なキャスタ１１が設けられた複数の脚杆１２と、該複数の脚杆１２に支持された脚柱１３とを備えている。複数の脚杆１２は、放射状に配されて基端で互いに連結されており、それぞれの先端にキャスタ１１が取り付けられている。脚柱１３は、下部が複数の脚杆１２の基端に連結されており、上方に向けて立設されている。また、この脚柱１３の上部には、背凭れ支持体２０を後傾可能とするリクライニング機構（不図示）が内蔵された支基１４が取り付けられている。
【００２８】
（背凭れ支持体）
背凭れ支持体２０は、支基１４の幅方向両側方に基部が枢着された一対の前向腕部２１と、該前向腕部２１の基部から上方に向かって延出するとともに座部３０を支持する一対の上向腕部２２と、該前向腕部２１の基部から後方に向かって延出する一対の後向腕部２３とを有している。
【００２９】
図２に示すように、この一対の後向腕部２３は、後方に向かうにしたがってしだいに互いに近接するように配され後端にて互いに連結されることで、一体として下向きＶ字状に配されている。そして、一対の後向腕部２３の後端は、後述する背凭れ後部支持部材４０の下部に固定されている。
【００３０】
また、図１に示すように、背凭れ支持体２０には、側方から上方に向かって延出する肘掛け２６が設けられている。
【００３１】
（座部）
図３に示すように、座部３０は、支基１４に対して前後方向にスライド可能に前部が支持されるとともに、背凭れ支持体２０の上向腕部２２に枢着されている。そして、支基１４のリクライニング機構により背凭れ支持体２０が後傾するにともない、座部３０は支基１４に対して相対的に後方に移動するとともに後側を下方に向かって傾動するように構成されている。
【００３２】
（背凭れ後部支持部材）
図２に示すように、背凭れ後部支持部材４０は、背凭れ支持体２０に連結された下部連結部４１と、該下部連結部４１から上方へ向かって延びる中間連結部４２と、該中間連結部４２の上端から上方に向かうにしたがってしだいに幅方向外側に広がるように配された上部連結部４３とを有する。
【００３３】
下部連結部４１は、下部後面に背凭れ支持体２０の一対の後向腕部２３の後端が嵌合する凹部（不図示）が形成されており、一対の後向腕部２３は該凹部に嵌合されている。そして、下部連結部４１は、該凹部にて背凭れ支持体２０の上部と例えば、ボルト・ナット（不図示）による螺着によって固定される。さらに下部連結部４１は、下端にて背凭れ５０に連結されている。
【００３４】
図１及び図４に示すように、中間連結部４２は、下端が下部連結部４１に連結され上方に向かって配されている。また、中間連結部４２は、上方に向かうにしたがって幅方向の長さ寸法がしだいに狭くなり、途中から上方に向かうにしたがって幅方向の長さ寸法が再び広くなるように形成されている。
【００３５】
この中間連結部４２は、前面が凹面、後面が凸面となるような水平断面が横向きＵ字状の形成されている。そして、中間連結部４２は、凹面状の形成された前面に、前方に向かって突出し略水平方向に延在する横リブ４２Ａが上下方向に離間して複数形成され、また前方に向かって突出し略鉛直方向に延在する縦リブ４２Ｂが椅子１の幅方向に離間して複数形成されている。
【００３６】
本実施形態では、横リブ４２Ａが４本形成され、これら横リブ４２Ａと交差するように縦リブ４２Ｂが２本形成されている。中間連結部４２では、水平断面が横向きＵ字状に形成されることに加えて、これら横リブ４２Ａ及び縦リブ４２Ｂにより、剛性が高められている。
【００３７】
上部連結部４３は、下端が中間連結部４２に連結され、上方に向かうにしたがってしだいに幅方向外側に広がるように配されている。本実施形態では、上部連結部４３は、上方に向かうにしたがってしだいに互いに幅方向外側に離間するように配された一対の連結片４３Ａ、４３Ｂを有し、一対の連結片４３Ａ、４３Ｂによって全体としてＶ字状に形成されている。
この一対の連結片４３Ａ、４３Ｂは、縦枠部５３Ａ，５３Ｂの捩れにともなって変位可能に構成されている。
【００３８】
図５に示すように、上記の下部連結部４１、中間連結部４２及び上部連結部４３を構成する一対の連結片４３Ａ，４３Ｂは、一体成形されており、背凭れ後部支持部材４０は、全体として側面視して後方に凸となるように湾曲形成されている。
【００３９】
つまり、下部連結部４１は、湾曲しつつ全体として上方に向かうにしたがって後方へと向かうように傾斜している。また、上部連結部４３を構成する一対の連結片４３Ａ、４３Ｂは、湾曲しつつ上方に向かうにしたがって前方へと向かうように傾斜している。そして、中間連結部４２は、湾曲しつつ、上部連結部４３と下部連結部４１とを連結している。
【００４０】
（背凭れ）
図２に示すように、背凭れ５０は、着座者の背を受ける張り材５１と、該張り材５１が取り付けられ背凭れ後部支持部材４０における上部連結部４３と連結された上枠部５２と、該上枠部５２と連結されるとともに張り材５１が取り付けられた一対の縦枠部５３Ａ，５３Ｂ（５３）とを有する。
【００４１】
張り材５１は、着座者の背を受け、背の姿勢に応じて変形可能な可撓性を有する部材で構成されている。具体的には、本実施形態ではメッシュ状の素材で形成されているおり、メッシュを構成する糸材が弾性的に伸縮することにより、全体として弾性的に撓み変形可能となっている。この張り材５１は、上枠部５２と一対の縦枠部５３とで囲まれた部分に設けられ、端部がこれら上枠部５２及び一対の縦枠部５３に固定されている。
【００４２】
上枠部５２は、幅方向に沿って延在して、その両端が上部連結部４３における一対の連結片４３Ａ，４３Ｂの上端にそれぞれ連結されるとともに、一対の縦枠部５３Ａ，５３Ｂの上端にそれぞれ連結されている。
【００４３】
一方の縦枠部５３Ａは、下材５７Ａと、該下材５７Ａの上端に連結されて張り材５１から作用する力で弾性変形可能な上材５６Ａとを有している。同様に、他方の縦枠部５３Ｂも、下材５７Ｂと、該下材５７Ｂの上端に連結されて張り材５１から作用する力で弾性変形可能な上材５６Ｂとを有している。
【００４４】
図２及び図５に示すように、下材５７Ａ、５７Ｂは、下端が背凭れ後部支持部材４０の下部連結部４１に連結され、上方に向かうにしたがって、しだいに前方向かい且つ幅方向外側に拡開するように形成されている。また、下材５７Ａ、５７Ｂのそれぞれは、上方に向かうにしたがって、断面寸法が小さくなるように形成されている。
【００４５】
上材５６Ａ、５６Ｂは、下端がそれぞれ対応する下材５７Ａ、５７Ｂに連結され、上端が上枠部５２及び背凭れ後部支持部材４０の一対の連結片４３Ａ、４３Ｂに連結され、上方に向かうにしたがって下材５７Ａ、５７Ｂよりも相対的に後方へ傾斜するように形成されている。
また、上材５６Ａ、５６Ｂは、着座者の背から作用する力に応じて捩れ変形可能に構成されている。
【００４６】
このように縦枠部５３Ａ，５３Ｂは、下材５７Ａ，５７Ｂにより下部から上方に向かうにしたがってしだいに前方に向かうように形成されるとともに、該下材５７Ａ，５７Ｂと上材５６Ａ，５６Ｂとの連結部分から上材５６Ａ，５６Ｂにより上方に向かうにしたがってしだいに前方に向かうように形成されており、縦枠部５３Ａ，５３Ｂは、全体として前方に向かって凸となるように湾曲形成されている。
【００４７】
上記の背凭れ後部支持部材４０と縦枠部５３とは、側面視して環状に一体成形されている。本実施形態では、背凭れ後部支持部材４０の下部連結部４１、中間連結部４２、一方の連結片４３Ａ、一方の縦枠部５３Ａの上材５６Ａ及び下材５７Ａにより、側面視して環状の第一の環状部６１を構成している。
【００４８】
また、背凭れ後部支持部材４０の下部連結部４１、中間連結部４２、他方の連結片４３Ｂ、他方の縦枠部５３Ｂの上材５６Ｂ及び下材５７Ｂにより、側面視して環状の第二の環状部６２を構成している。
【００４９】
そして、これら第一の環状部６１及び第二の環状部６２は、下部連結部４１及び中間連結部４２で連結されるとともに、全体として一体成形されている。また、上枠部５２も、第一の環状部６１及び第二の環状部６２のそれぞれの上端を連結されるように一体成形されている。
【００５０】
すなわち、本実施形態では、背凭れ後部支持部材４０の各部と、背凭れ５０の上枠部５２及び一対の縦枠部５３Ａ，５３Ｂとが一体成形されている。
【００５１】
また、図６に示すように、縦枠部５３Ａ，５３Ｂには、その幅方向外側から内側に向かって切り込み部５４Ａ，５４Ｂが形成され、該切り込み部５４Ａ，５４Ｂに張り材５１の幅方向端部が挟み込まれるとともに固定されている。
【００５２】
次に、上記のように構成された椅子１の座部３０に着座者が着座して、背凭れ５０に凭れかかった場合における椅子１の背凭れ後部支持部材４０及び背凭れ５０の動作について説明する。
【００５３】
図４の実線及び図６（ａ）は着座者が座部３０に着座して背凭れ５０に凭れかかっていない状態の椅子１を示し、図４の二点鎖線及び図６（ｂ）は着座者が背凭れ５０に凭れかかった状態の椅子１を示す。
【００５４】
着座者が背凭れ５０に凭れかかると、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【００５５】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００５６】
この縦枠部５３Ａ，５３Ｂが弾性変形するにともない、張り材５１は幅方向略中央部が後方に向かって突出する円弧状に一層変形することが可能となるとともに、背凭れ５０は背凭れ後部支持部材４０に支持されている。
【００５７】
ここで、縦枠部５３Ｂにおける上材５６Ｂが、着座者の背から作用する力で捩れ変形可能に構成されている。また、連結片４３Ａ，４３Ｂが下方に向かうにしたがって離間する幅を狭めるように形成され互いに接合されて中間連結部４２に連結されているため、中間連結部４２は上材５６Ｂの捩れ変形を促す構成とされている。よって、上材５６Ｂが着座者の荷重にしたがって着座者の背に追従するように後側方に向かって捩れて変形する。
【００５８】
また、上材５６Ｂに連結された連結片４３Ｂは、上材５６Ｂの捩れにともなって変位可能に構成されているため、縦枠部５３Ｂの後側方に向かう捩れにともなって後側方へと変位する。
背凭れ５０における張り材５１は、着座者からの荷重により、該張り材５１のメッシュを構成する糸材が弾性的に伸縮して、着座者の背を包み込むように弾性変形する。
【００５９】
このように、上材５６Ｂ、連結片４３Ｂ及び張り材５１は、着座者の背や肩の変形に追従してこれら背や肩を包み込むようにして変形する。
なお、着座者が背凭れ５０の幅方向他方側から方向へと振り向くような姿勢をとった場合も、同様に動作する。
【００６０】
このように構成された椅子１では、着座者が座部３０に着座し、着座者の背が背凭れ５０の張り材５１で受け止められると、着座者の荷重が張り材５１から上枠部５２と一対の縦枠部５３Ａ，５３Ｂに伝えられる。上枠部５２は、背凭れ後部支持部材４０の一対の連結片４３Ａ，４３Ｂに連結支持され、該背凭れ後部支持部材４０は背凭れ支持体２０に支持されている。よって、上枠部５２、背凭れ後部支持部材４０及び背凭れ支持体２０により着座者からの荷重を確実に支持することができる。
【００６１】
一方、上枠部５２の幅方向両端部に連結された一対の縦枠部５３Ａ，５３Ｂは、張り材５１から作用する力により弾性変形するため、着座者の荷重にしたがって着座者の背に追従するように変形して背を張り材５１とともに包み込むように受け止めることができる。このため、着座者は、安定した状態で着座することができる。
【００６２】
また、縦枠部５３Ａ，５３Ｂを構成する上材５６Ａ，５６Ｂは、張り材５１から作用する力により弾性変形するため、着座者の荷重にしたがって着座者の背に追従にするように変形して背を張り材５１とともに包み込むように受け止めることができる。
【００６３】
一方、縦枠部５３Ａ，５３Ｂを構成する下材５７Ａ，５７Ｂは、上方に向かうにしたがってしだいに前方に傾斜するように形成されているため、着座者から後方に向かって作用する荷重を下材５７Ａ，５７Ｂの先端で受けて下材５７Ａ，５７Ｂ自体の軸力で確実に支持することができる。
【００６４】
このように縦枠部５３Ａ，５３Ｂは下材５７Ａ，５７Ｂにより下部から上方に向かうにしたがってしだいに前方に向かうように形成されるとともに、該下材５７Ａ，５７Ｂと上材５６Ａ，５６Ｂとの連結部分から上材５６Ａ，５６Ｂにより上方に向かうにしたがってしだいに前方に向かうように形成され、全体として前方に向かって凸となるように湾曲形成されている。よって、前後方向へは縦枠部５３Ａ，５３Ｂ自体の変形を抑制して着座者の荷重を確実に受け止めることができ、幅方向には縦枠部５３Ａ，５３Ｂ自体が内側に向かって着座者の背に追従するように撓み変形して背を包み込むように受け止めることができる。
【００６５】
また、背凭れ後部支持部材４０が後方に向かって凸となるように湾曲形成されているため、着座者から後方に向かって作用する荷重を、背凭れ後部支持部材４０上部ではそれ自体の軸力で前後方向への変形を抑制して確実に支持することができる。
【００６６】
また、上枠部５２は両端部が上部連結部４３に支持されることで、前後方向への変形が抑制されて着座者の肩付近などの上部を確実且つ安定的に支持できる。
【００６７】
また、着座者からの荷重が背凭れ５０の張り材５１から一対の縦枠部５３Ａ，５３Ｂに伝えられると、縦枠部５３Ａ，５３Ｂの上材５６Ａ，５６Ｂは捩れ変形する。上材５６Ａ，５６Ｂと連結された一対の連結片４３Ａ，４３Ｂは、上材５６Ａ，５６Ｂの捩れ変形にともなって変位する。よって、幅方向一方側から後方へと振り向くような姿勢をとった場合には、一方側の上材５６Ａ，５６Ｂが捩れ変形するとともに一方側の連結片４３Ａ，４３Ｂが変位して、背を張り材とともに包み込むように受け止めることができるため、着座者の背や肩に変形に追従した状態で安定的に支持することができる。
【００６８】
このように、縦枠部５３Ａ，５３Ｂの上材５６Ａ，５６Ｂ、張り材５１及び連結片４３Ａ，４３Ｂが、着座者の背や肩の変形に追従して、後方へと傾斜しながらこれら背や肩を安定的に支持することができる。
【００６９】
一方、縦枠部５３Ａ，５３Ｂの下材５７Ａ，５７Ｂは張り材５１とともに着座者の背より下方の腰回り等を確実に支持する。よって、幅方向一方側から後方へと振り向くような姿勢をとった場合には、下材５７Ａ，５７Ｂが張り材５１とともに着座者の腰回りを支持することができる。
【００７０】
また、上記に記載の効果が得られるとともに、背凭れ後部支持部材４０の各部と、背凭れ５０の上枠部５２及び一対の縦枠部５３Ａ，５３Ｂとが一体成形されることで強固な構造とし、且つ環状に成形された優れたデザイン性を奏することができる。
【００７１】
特に本実施形態では、下部連結部４１、中間連結部４２、一対の連結片４３Ａ及び一対の縦枠部５３は一体成形されていることで強固な構造とし、且つ非常に優れたデザイン性を奏することができる。
【００７２】
（第二実施形態）
以下、本発明の第二実施形態に係る椅子２０１について、図７、図８を用いて説明する。
この実施形態において、前述した実施形態で用いた部材と同一の部材には同一の符号を付して、その説明を省略する。
【００７３】
第一実施形態における椅子１では、背凭れ後部支持部材４０の下部連結部４１と上部連結部４３との間配される中間連結部４２は、着座者の背から背凭れ５０に作用する荷重を支持する構成とされている。一方、本実施形態に係る椅子２０１では、背凭れ後部支持部材２４０の下部連結部４１と上部連結部４３との間に配される部材は、変形許容部２４２として構成されている。
【００７４】
変形許容部２４２は、その下端が下部連結部４１に連結され、その上端が上部連結部４３に連結され、この変形許容部２４２の前面にはリブが形成されていない。また、変形許容部２４２は、着座者の背から背凭れ５０に作用する荷重にしたがって弾性変形可能である。
【００７５】
次に、上記のように構成された椅子２０１の座部３０に着座者が着座して、背凭れ５０（図１参照。以下同じ。）に凭れかかった場合における椅子２０１の背凭れ後部支持部材２４０及び背凭れ５０の動作について説明する。
【００７６】
図８の実線は着座者が座部３０に着座して背凭れ５０に凭れかかっていない状態の椅子２０１を示し、図８の二点鎖線は着座者が背凭れ５０に凭れかかった状態の椅子２０１を示す。
【００７７】
着座者が背凭れ５０に凭れかかると、背凭れ５０の張り材５１に着座者からの力が作用し、この力により張り材５１は着座者の背に沿って、幅方向略中央部が後方に向かって突出するように円弧状に変形する。
【００７８】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【００７９】
また、縦枠部５３Ａ，５３Ｂに連結された背凭れ後部支持部材２４０のうち変形許容部２４２は、着座者の背から背凭れ５０に作用する荷重にしたがって弾性変形可能である。よって、変形許容部２４２は、その下端を中心として、上方に向かうにしたがってしだいに後傾するように変形する。そして、変形許容部２４２の変形にともない、該変形許容部２４２の上方に配された上部連結部４３は後方に移動し、該上部連結部４３に連結された背凭れ５０はさらに後傾することが可能となる。
【００８０】
このように構成された椅子２０１では、着座者から背凭れ５０に後方へ向かって荷重が作用すると、着座者の荷重が背凭れ５０を支持する背凭れ後部支持部材２４０に伝達される。この際、背凭れ後部支持部材２４０のうち、背凭れ支持体２０に連結された下部連結部４１と背凭れ５０に連結された上部連結部４３との間に設けられた変形許容部２４２が、上方に向かうにしたがってしだいに後方に傾斜するように弾性変形する。この変形許容部２４２の変形とともに、背凭れ後部支持部材２４０に支持された背凭れ５０はその姿勢を大きく後方に傾斜させることができる。
【００８１】
（第三実施形態）
以下、本発明の第三実施形態に係る椅子３０１について、図９を用いて説明する。
この実施形態において、前述した実施形態で用いた部材と同一の部材には同一の符号を付して、その説明を省略する。
【００８２】
第三実施形態における椅子３０１は、さらに背凭れ後部支持部材４０の前方に連結され着座者の腰部を支持するランバーサポート７０を備えている。
【００８３】
図１０に示すように、中間連結部４２には、３本の横リブ４２Ａと横リブ４２Ａの下側に配置されランバーサポート７０と係合する係合リブ４０Ａが形成され、これら横リブ４２Ａ及び係合リブ４０Ａと交差するように縦リブ４２Ｂが２本形成されている。
【００８４】
（ランバーサポート）
ランバーサポート７０は、図１１（ａ）、図１２に示すように、背凭れ５０を構成する張り材５１の後方側において背凭れ後部支持部材４０の前方側に連結され、側面から見て背凭れ５０の前方に向かって膨出するとともに、この実施形態においては、ランバーサポート７０と張り材５１が接触しないように張り材５１との間に間隙が形成されるように構成されている。
【００８５】
また、ランバーサポート７０は、図９、図１１に示すように、例えば、ランバーサポート本体７１と、左右一対の側枠部材７３Ａ、７３Ｂ（７３）と、取付部材８０と、連結部材９０とを備え、ランバーサポート本体７１は、左右両側の縁部７１Ａ、７１Ｂに位置する支持部にて側枠部材７３Ａ、７３Ｂ（７３）に接続されている。
【００８６】
また、ランバーサポート７０は、側枠部材７３Ａ、７３Ｂ（７３）を取付部材８０によって保持し、取付部材８０に取付けられた連結部材９０を介して背凭れ後部支持部材４０に連結されるようになっている。
【００８７】
また、ランバーサポート７０は、ランバーサポート本体７１の上縁及び下縁の後方が背凭れ５０と間隙が形成されるようになっている。具体的には、ランバーサポート本体７１の上縁及び下縁は、取付部材８０との間に間隙７０Ｈ、７０Ｊが形成されて自由縁とされて、左側の縁部７１Ａと右側の縁部７１Ｂの間においてランバーサポート本体７１の上下方向全域が後方に変形されやすくなっている。
【００８８】
ランバーサポート本体７１は、図１４〜図１６に示すように、例えば、半透明等の透光性を有するウレタン樹脂やエラストマ等の弾性変形可能な軟質材からなり、背凭れ５０の左右方向に延在するシート状の面材とされている。また、左右両側の縁部７１Ａ、７１Ｂの端面から、側枠部材７３Ａ、７３Ｂ（７３）に形成された突出部７５が進入されて側枠部材７３に取付けられ、側枠部材７３の支持形状部に沿うことで、前方に膨出するように形成されている。
【００８９】
側枠部材７３は、側面から見て背凭れ５０の前方に膨出する支持形状部が形成されるとともにランバーサポート本体７１が取付けられる左右一対の側枠部材本体７４Ａ、７４Ｂ（７４）と、左右の側枠部材本体７４Ａ、７４Ｂから突出しランバーサポート本体７１の左右の縁部７１Ａ、７１Ｂに向かって伸びる突出部７５と、差込部７７Ａ、７７Ｂ（７７）とを備えている。
【００９０】
突出部７５は、この実施形態において、側枠部材本体７４Ａ、７４Ｂ（７４）に形成された支持形状部に沿って複数形成されて、ランバーサポート本体７１の左右縁部７１Ａ、７１Ｂを係止するようになっている。かかる構成により、ランバーサポート本体７１は、前方に向かって膨出するようになっている。
【００９１】
突出部７５は、弾性変形可能な材料により形成され、例えば、図１５、図１６に示すように、側枠部材本体７４Ａ、７４Ｂ（７４）から突出する複数の舌片状突出部７５Ａと、この舌片状突出部７５Ａを一つおきに周囲を囲むとともに、囲んだ舌片状突出部７５Ａとの間に貫通孔７６Ｕが画成される有孔係止壁部からなる複数の有孔係止壁部７５Ｂとを備えており、隣接する有孔係止壁部７５Ｂの間は、有孔係止壁部７５Ｂで囲まれていない両隣の舌片状突出部７５Ａとの間に形成される切込７６Ｙにより離間されている。
【００９２】
突出部７５は、例えば、ランバーサポート本体７１を形成する際に、インサート成形することによりランバーサポート本体７１の縁部７１Ａ、７１Ｂの端面からランバーサポート本体７１内に進入するように形成されている。
そして、インサート成形時に、ランバーサポート本体７１の内において、図１７（ａ）、（ｂ）に示すように、貫通孔７６Ｕを通じて突出部７５の厚さ方向に一体成形される壁部（被係止部）７１Ｇによりランバーサポート本体７１を支持するようになっている。
【００９３】
差込部７７Ａ、７７Ｂ（７７）は、側枠部材本体７４Ａ、７４Ｂ（７４）の後方側端部から左右方向内方に屈曲して伸びて形成されており、取付部材８０と連結するための嵌挿係合部を有している。
【００９４】
また、図１７（ａ）に示すように、ランバーサポート本体７１の左右両側の縁部７１Ａ、７１Ｂの端面と側枠部材本体７４Ａ、７４Ｂ（７４）の間には、それぞれ間隙Ｇが形成されていて、ランバーサポート本体７１が突出部７５によって接続されている。
なお、図１７（ｂ）に示すように、ランバーサポート本体７１の縁部７１Ａ、７１Ｂの端面と側枠部材本体７４Ａ、７４Ｂ（７４）の間に間隙Ｇを形成せずに、互いの端部が当接する構成としてもよい。
【００９５】
取付部材８０は、左右方向に延在し左右の側枠部材７３Ａ、７３Ｂ（７３）を連結する連結部８１と、連結部８１の左右方向の中央部において連結され上下方向に延在し連結部材９０を介して背凭れ後部支持部材４０に取付けられる取付部８５とを備えている。
【００９６】
連結部８１は、左右両端部に側枠部材保持部８２Ａ、８２Ｂ（８２）を有しており、側枠部材保持部８２に側枠部材７３の差込部７７を嵌挿することにより側枠部材７３を保持するように構成されている。
【００９７】
また、取付部８５は、前後方向に貫通し上下方向に伸びる連結部材取付孔８５Ｈが形成されるとともに、連結部材取付孔８５Ｈの左右両側周縁部に前後方向に曲線的に凹凸を繰り返す波状形状部８５Ａが形成されている。
【００９８】
図１３、図１４に示すように、側枠部材７３を保持側枠部材保持部８２に嵌挿しての取付け部材８０と一体化した状態で、ランバーサポート本体７１の上縁側は、左右の側枠部材７３Ａ、７３Ｂ（７３）を介して取付部材８０と接続され、ランバーサポート本体７１の上縁の左右方向において、側枠部材７３Ａと側枠部材７３Ｂの間に間隙７０Ｈが形成されるようになっている。
【００９９】
また、一方、ランバーサポート本体７１の下縁側は、取付部材８０の連結部８１に対して側枠部材本体７４Ａ、７４Ｂ（７４）を介して片持ちで支持されていて、左右方向において、左右の側枠部材７３Ａ、７３Ｂ（７３）を含めて取付け部材８０との間に間隙８０Ｊが形成されている。
【０１００】
連結部材９０は、位置決ブロック９１と、取付ブロック９５と、固定ねじ９０Ｐとを備えていて、ランバーサポート７０を背凭れ後部支持部材４０に連結するとともに、ランバーサポート７０の上下方向の高さを調整可能とされている。
位置決ブロック９１及び取付ブロック９５は、取付部材８０を前方及び後方から挟みこむように装着され、固定ねじ９０Ｐにより固定されるようになっている。
【０１０１】
位置決ブロック９１は、図１８に示すように、位置決ブロック本体９２に、長手方向（上下方向）と直交する断面において後方の左右方向中央側が突出し、長手方向に延在する凸部９２Ｓが形成されていて、固定ねじ９０Ｐが螺合される２つのねじ取付孔９２Ｈが長手方向に間隔をあけて形成されている。
【０１０２】
また、位置決ブロック本体９２は、左右両側の縁部近傍には長穴９２Ｂが形成され、長穴９２Ｂの幅方向外方に弾性変形部９２Ｃが構成されるとともに、それぞれの弾性変形部９２Ｃには長手方向中央に後方に向かって突出し、取付部材８０の波状形状部８５Ａと係合する位置決凸部９３が形成されている。この波状形状部８５Ａと位置決凸部９３は、ランバーサポート７０を上下方向にスライドさせて段階的に位置決めされる高さ調整機構を構成している。
【０１０３】
この高さ調整機構によれば、図２１に示すように、ランバーサポート７０を、矢印に沿って上下方向に移動した場合に、位置決凸部９３が波状形状部８５Ａの凹部に係合して係止され、高さ調整をすることができるようになっている。
【０１０４】
取付ブロック９５は、図１９に示すように、取付ブロック本体９６に、長手方向と直交する断面において前方の左右方向中央側が突出し、長手方向に延在する凸部９６Ｓが形成されていて、固定ねじ９０Ｐを通すための２つの貫通孔９６Ｈが長手方向に間隔をあけて形成されている。
また、凸部９６Ｓは、位置決ブロック９１の凸部９２Ｓと当接することで、位置決ブロック９１と取付ブロック９５の厚さ方向の位置精度を確保するように構成されている。
【０１０５】
また、取付ブロック本体９６の上下方向下側には、取付ブロック本体９６から後方に向かって突出し第１係合部を構成する第１係合壁部９７が形成され、第１係合壁部９７の先端部には下側（第２係合部と反対側）に突出する第１係合凸片９７Ａが形成されるとともに、下側に開口する略Ｕ字状の第１係合形状部９７Ｕを有している。
【０１０６】
また、第１係合凸片９７Ａの先端は、取付ブロック本体９６の下端より上方に位置している。すなわち、取付ブロック本体９６の下端は、第１係合凸片９７Ａの先端よりも下方側に長く形成されている。
【０１０７】
また、取付ブロック本体９６の長手方向の上側（第２の位置）には、第２係合部を構成する取付ブロック本体９６から後方に突出する第２係合壁部９８と、チャネル状壁部９９が形成されていて、この第２係合壁部９８の上側（第１係合部と反対側）には、凹部９８Ｕが形成されている。また、第２係合壁部９８の上側には、外部から第２係合壁部９８を弾性変形させるための解除孔９６Ｊが形成されている。
【０１０８】
また、チャネル状壁部９９は、第２係合壁部９８に対して取付ブロック本体９６の長手方向下側（第１係合壁部９７側）には、後方側から見て上方が開口するチャネル状に形成され、第２係合壁部９８の左右に配置されるガイド壁部９９Ａ、９９Ｂと第２係合壁部９８の下方に配置される下側ガイド壁部９９Ｃとを有している。
【０１０９】
上記構成の連結部材９０を備えたランバーサポート７０は、図１０に示すように、背凭れ後部支持部材４０に、容易に連結させることができる。したがって、背凭れ５０の張り材５１と背凭れ後部支持部材４０の間においても、ランバーサポート７０の装着、及び取り外しを容易に行うことができる。
【０１１０】
図２０〜図２２に示すように、第１係合壁部９７は、背凭れ後部支持部材４０に第１係合壁部９７と対応する位置に形成された係合孔４０Ｈの下側に位置する背凭れ後部支持部材４０の端部４０Ｆからなり、第１係合壁部９７に形成された係合凸片９７Ａを係合孔４０Ｈに挿入して、第１係合形状部９７Ｕを端部４０Ｆと当接させることで、第１の係合部と第１被係合部が係合するようになっている。このとき、第１係合部と第２係合部の間が、ランバーサポート７０と背凭れ後部支持部材４０が互いの対向面９６Ｃと４０Ｃで当接するようになっている。
【０１１１】
また、第２係合壁部９８は、背凭れ後部支持部材４０に形成され前方に向かって突出する係合リブ４０Ａと、第２係合壁部９８の上側（第２係合壁部９８の第１係合部と反対側）面と係合リブ４０Ａの下側面の面が対向するように位置させて、第２係合壁部９８を下側に弾性変形させて、係合リブ４０Ａの途中から下方に突出する凸部４０Ｂを凹部９８Ｕに挿入させることで、第２係合部と第２被係合部が係合するようになっている。
【０１１２】
また、第２被係合部は、係合リブ４０Ａの下方に、係合リブ４０Ａ、縦リブ４２Ｂとともに、第２係合壁部９８と、チャネル状壁部９９の下側ガイド壁部９９Ｃを収容する上側に円弧状に突出する収容壁部４０Ｅが形成されていて、第２係合壁部９８及びチャネル状壁部９９の下側ガイド壁部９９Ｃが、係合リブ４０Ａ、縦リブ４２Ｂ、収容壁部４０Ｅにより画成される収容凹部に形成されることにより、ランバーサポート７０が、背凭れ後部支持部材４０に確実に連結されるようになっている。
【０１１３】
上記第１係合部を構成する第１係合壁部９７を背凭れ後部支持部材４０に形成された第１被係合部と係合させて、第１係合壁部９７を端部４０Fと係合させた状態で連結部材９０の第２係合部側を後方に回動させ、第２係合部を構成する第２係合壁部９８を係合リブ４０Ａに向かって回動するとともに、第２係合壁部９８を係合リブ４０Ａによって弾性変形させて、第２係合壁部９８が背凭れ後部支持部材４０に形成された第２被係合部と係合することで、ランバーサポート７０が背凭れ後部支持部材４０に連結されるようになっている。また、第１係合壁部９７及び第２係合壁部９８が第１被係合部及び第２被係合部に係合された状態で、第１係合壁部９７は第２係合部側に、第２係合壁部９８は第１係合部側に支持されるようになっている。
【０１１４】
ランバーサポート７０は、背凭れ後部支持部材４０に堅牢に支持されることから、左右の縦枠部５３Ａ、５３Ｂ（５３）が変形した場合でも縦枠部５３に比較して変形しにくく、その結果、弾性変形に大きな力を要するので、着座者が凭れかかっても着座者の腰部をしっかりと支持することができる。
【０１１５】
次に椅子３０１の座部３０に着座者が着座して、背凭れ５０に凭れかかった場合における作用を説明する。
【０１１６】
図２３（ａ）に示すように、着座者が背凭れ５０に凭れかかると、背凭れ５０の張り材５１に着座者からの力が作用し、この力により張り材５１のメッシュを構成する糸材が弾性的に伸縮することにより、全体として着座者の背に沿うようにして、幅方向略中央部が後方に向かって突出するように円弧状に弾性変形する。
【０１１７】
また、張り材５１が固定された縦枠部５３Ａ，５３Ｂは、張り材５１から作用する力により、その幅方向内側を後方に向けるように弾性変形するとともに、互いに近接するように幅方向内側に移動する。
【０１１８】
一方、上枠部５２の幅方向両端部に連結された一対の縦枠部５３Ａ，５３Ｂは、張り材５１から作用する力により弾性変形するため、着座者の荷重にしたがって着座者の背に追従するように変形して背を張り材５１とともに包み込むように受け止めるとともに、ランバーサポート７０が後方に弾性変形しながら着座者の腰部を後方で支持する。このため、着座者は、安定した状態で着座することができる。
【０１１９】
ランバーサポート７０は、背凭れ後部支持部材４０に堅牢に支持されることから、左右の縦枠部５３Ａ、５３Ｂ（５３）が変形した場合でも縦枠部５３に比較して変形しにくく、その結果、弾性変形に大きな力を要するので、着座者が凭れかかっても着座者の腰部をしっかりと支持することができる。
【０１２０】
また、縦枠部５３Ａ，５３Ｂを構成する上材５６Ａ，５６Ｂは、張り材５１から作用する力により弾性変形するため、着座者の荷重にしたがって着座者の背に追従にするように変形して背を張り材５１とともに包み込むように受け止めることができる。
【０１２１】
また、着座者が、図２４（ｂ）に示すように、背凭れ５０の幅方向一方側から後方へと振り向くような姿勢をとった場合には、図２３（ｂ）、図２４（ｂ）に示すように、着座者からの荷重が、背凭れ５０の幅方向一方側に偏って作用し、偏った側の縦枠部５３Ｂに対して縦枠部５３Ｂを捩れ変形させる荷重が作用する。
【０１２２】
ここで、縦枠部５３Ｂにおける上材５６Ｂが、背凭れ５０から作用する力で捩れ変形可能に構成されているまた、上材５６Ｂに連結された連結片４３Ｂは、上材５６Ｂの捩れにともなって変位可能に構成されているため、縦枠部５３Ｂの後側方に向かう捩れにともなって後側方へと変位する。
【０１２３】
背凭れ５０における張り材５１は、着座者からの荷重により、該張り材５１のメッシュを構成する糸材が弾性的に伸縮して、着座者の背を包み込むように弾性変形する。
【０１２４】
また、ランバーサポート７０は、着座者が凭れかかることにより、ランバーサポート本体７１の上下の自由縁が後方に変形して隙間７０Ｈ、７０Ｇが小さくなる。そして、隙間７０Ｈ、７０Ｇが小さくなるので、ランバーサポート本体７１は、上下方向の全域にわたって、左右方向から着座者を包み込むように変形する。
【０１２５】
このように構成された椅子３０１では、着座者が着座したときに、ランバーサポート本体７１が腰部に圧迫感が生じさせるのを抑制するとともに、腰部を適度に支持することができる。
【０１２６】
また、ランバーサポート本体７１の後方に変形可能な自由縁が上下に形成されているので、ランバーサポート本体７１の変形許容度が大きくなり、ランバーサポート本体７１の上下方向の広い範囲にわたって、ランバーサポート本体７１を、左右方向両側から中央部を囲うように変形する。
その結果、着座者が着座したときに、ランバーサポート本体７１が腰部と点接触することが抑制される。
【０１２７】
また、取付部材が、左右両方の側枠部材を連結する連結部を備えていて、側枠部材と取付部材とが一体的に形成されているので、側枠部と取付部の強度が向上してランバーサポート本体を安定して後方へ変形させることができ、ランバーサポート本体の変形許容度を向上することができる。
【０１２８】
なお、ランバーサポート本体７１は、着座者が着座して張り材５１が後方に変形する場合に、張り材５１が側枠部材７３よりも先にランバーサポート本体７１に当接しうるように、張り材５１の曲率をランバーサポート本体７１よりも大きくし、又は張り材５１が後方に膨出する量よりもランバーサポート本体７１が前方に膨出するように構成してもよい。
【０１２９】
また、側枠部材が、ランバーサポート本体の左右両側縁部を係止する突出部７５を備えているので、ランバーサポート本体を側枠部材と容易に接続、支持することができる。
【０１３０】
また、突出部７５が、ランバーサポート本体７１の左右両縁部７１Ａ、７１Ｂと対応して支持部材本体７４に支持形状部に沿って複数形成されていて、ランバーサポート本体７１内に進入して係止するので、ランバーサポート本体７１を大きな強度で接続し、ひいてはランバーサポート本体７１に加わる荷重を充分に支持することができる。
【０１３１】
また、ランバーサポート７０によれば、ランバーサポート本体７１内に進入して係止する突出部７１Ｂが、周縁が閉じられた貫通孔７６Ｕを有する有孔係止壁部７５Ｂを備え、貫通孔７６Ｕにランバーサポート本体７１内に形成され厚さ方向に伸びる壁部７１Ｇが貫通しているので、ランバーサポート本体７１を大きな強度で安定して支持することができる。また、この壁部７１Ｇが貫通孔７６Ｕの内方で移動したとしても、ランバーサポート本体７１が側枠部材７３から脱落するのを抑制することができる。
【０１３２】
また、ランバーサポート７０によれば、突出部７５がランバーサポート本体７１の面方向に弾性変形可能とされ、ランバーサポート本体７１と側枠部材７３とが接続される支持部が硬くなりすぎることが抑制されるので、ランバーサポート本体７１の支持部における弾性変形許容度が大きくなり、ランバーサポート本体７１の身体支持面の大きな範囲にわたって充分な弾性変形許容度を確保することができる。
【０１３３】
また、ランバーサポート本体７１が、エラストマ等の弾性変形可能な軟質材により形成されているので、ランバーサポート本体７１自体に大きな弾性変形許容度を確保することができ、身体支持面に充分な柔軟性を確保することができる。
【０１３４】
また、ランバーサポート７０によれば、ランバーサポート本体７１に面方向の大きな弾性変形が得やすくなり、ランバーサポート７０の膨出した部分と対応する側枠部材７３の支持形状部に沿って弾性変形するので、ランバーサポート本体７１の大きな範囲において大きな弾性許容度が確保され、身体支持面の大きな範囲にわたって身体を柔軟に支持することができる。
【０１３５】
また、上述した実施の形態において示した動作手順、あるいは各構成部材の諸形状や組み合わせ等は一例であって、本発明の主旨から逸脱しない範囲において設計要求等に基づき種々変更可能である。
【０１３６】
例えば、上記に示した実施形態においては、背凭れ後部支持部材４０と背凭れ５０とが一体成形されているが、背凭れ後部支持部材４０と背凭れ５０とを別部材とすることも可能である。
【符号の説明】
【０１３７】
１，  ２０１，３０１…椅子
１０…脚体
２０…背凭れ支持体
４０…背凭れ後部支持部材
４１…下部連結部
４３…上部連結部
４３Ａ，４３Ｂ…一対の連結片
５０…背凭れ
５１…張り材
５２…上枠部
５３Ａ，５３Ｂ（５３）…縦枠部
５６Ａ，５６Ｂ（５６）…上材
５７Ａ，５７Ｂ（５７）…下材
６１…第一の環状部
６２…第二の環状部
２４２…変形許容部
【図１】
2014079510.tif 000003
【図２】
2014079510.tif 000004
【図３】
2014079510.tif 000005
【図４】
2014079510.tif 000006
【図５】
2014079510.tif 000007
【図６】
2014079510.tif 000008
【図７】
2014079510.tif 000009
【図８】
2014079510.tif 000010
【図９】
2014079510.tif 000011
【図１０】
2014079510.tif 000012
【図１１】
2014079510.tif 000013
【図１２】
2014079510.tif 000014
【図１３】
2014079510.tif 000015
【図１４】
2014079510.tif 000016
【図１５】
2014079510.tif 000017
【図１６】
2014079510.tif 000018
【図１７】
2014079510.tif 000019
【図１８】
2014079510.tif 000020
【図１９】
2014079510.tif 000021
【図２０】
2014079510.tif 000022
【図２１】
2014079510.tif 000023
【図２２】
2014079510.tif 000024
【図２３】
2014079510.tif 000025
【図２４】
2014079510.tif 000026